【事件の表示】
　平成　６年特許願第　２３６６７号「エンブレム、ワッペン等の装飾体の製造方法」拒絶査定に対する審判事件［平成　７年　８月　８日出願公開、特開平　７−２０５５９９］について、次のとおり審決する。
【結　論】
　本件審判の請求は、成り立たない。
【理　由】
１．手続の経緯・本願発明
　本願は、平成６年１月２５日の出願であって、その請求項１に係る発明（以下「本願発明」という。）は、平成９年９月２９日付けの手続補正書により補正された明細書及び願書に最初に添付した図面の記載からみて、その特許請求の範囲の請求項１に記載された次のとおりのものである。
「上型１又は下型２の一方に斜面３を有する窪み部４を設けると共に他方に同じく斜面５を有して前記窪み部４と嵌合する隆起部６を設け、且つ窪み部４の斜面３又は隆起部６の斜面５に適宜な凹凸状の型押刃部７を設け、基布８と適宜な装飾体用素材９を重ねたものを下型２の上に載置してから上型１を押下して加圧及び加熱を行うことにより、上型１又は下型２に設けた溶断刃部１０と溶着刃部１１とにより装飾体用素材９を所要形状に溶断し且つ装飾体用素材９の所要箇所を基布８に対し溶着すると共に、前記の窪み部４と隆起部６との嵌合により装飾体用素材９及び基布８を上方又は下方へ突き出るように変形させ且つその突き出た部位の装飾体用素材９の表面における傾斜した部位に前記の型押刃部７によって適宜な凹凸模様１２を形成することを特徴とするエンブレム、ワッペン等の装飾体の製造方法。」
２．刊行物
　これに対して、原査定における拒絶の理由に引用した特開平５−２５４０２４号公報（以下「刊行物１」という。）及び特開平２−１４５３２０号公報（以下「刊行物２」という。）には、それぞれ次の事項が記載されている。
　刊行物１
　第１欄第２−１０行の【請求項１】に、
「成形面に・・・（中略）・・・基材の上面に熱可塑性合成樹脂シートの模様片を重ねた後、雌成形金型と、雄成形ゴム型とにより、前記基材と模様片とを挟圧，加熱して接着させ、成形する合成樹脂製装飾片の製造方法。」、
　第１欄第１３−１５行に、
「本発明は、衣類，スポーツ用品，カバン類等に取り付けられる合成樹脂製のワッペン，エンブレム，アップリケ，標章片等の製造方法に関する。」、
　第２欄第２１−４１行に、
「図１は、熱可塑性合成樹脂製の装飾片１の一例の平面図であって、梨地模様２の中央に台状に突出した台部３が設けられ、その中央に星形部４が突設され、台部３の両側に線状突条５を有する楯形部６が形成されている。
　図１に示す熱可塑性合成樹脂製の装飾片１は、図２に示す金属製の雌成形金型７と、ゴム製の雄成形ゴム型８とにより成形される。
　雌成形金型７は、成形面９に模様の基礎立体形１０と、この基確立体形１０の各表面１１，１２等の微細凹凸形１３，１４および表面１５の線状凹所１６とが彫り込まれ、１個の成形凹穴１７が形成されている。
　雄成形ゴム型８は、成形面１８に雌成形金型７における基礎立体形１０に合致する基礎立体形１９が凸設されている。
　雄成形ゴム型８の形成面１８に凸設されている基礎立体形１９の各表面２０，２１，２２等は、平坦面とされ、僅かに図１に示される模様輪郭たる凸条部２３，２４等を形成する凸条２５，２６が形成されているのみである。」、   
　第２欄第４７行−第３欄第９行に、
「前述の雄成形ゴム型８の成形面１８には、初めに熱可塑性合成樹脂織維が混在する不織布のごとくプレス成形可能なシート体たる基材を載置し、その上面に、図１に示すごとく色彩，模様のプリントされている熱可塑性合成樹脂シ−トの模様片を重ね、雌成形金型７を雄成形ゴム型８に向けて矢印Ａ方向に進出させ、前記基材と模様片を挟圧し、高周波誘電加熱手段等により加熱する。
　この挟圧と加熱とにより、基材と模様片とは、雌成形金型７の成形凹穴１７の形状通りの立体模様に成形され、模様片の表面には、雌成形金型７の基礎立体形の各表面に彫り込まれた微細凹凸形とが賦形される。」、
　第４欄第１−８行に、
「成形凹穴の各表面に彫り込まれている微細凹凸形が模様片の表面に賦形されるので・・・（中略）・・・これらの微細凹凸模様を基礎立体形と同時に成形でき、装飾片の模様の設計の自由度を著しく大きくしうる効果も有している。」及び
　第４欄第１５，１６行に、
「図１中Ｂ−Ｂ線位置で切断して示した雌成形金型と雄成形ゴム型との略示切断端面図である。」と記載されている。
　これらの記載事項より、刊行物１には、雌成形金型７の成形面９に、水平な表面１１，１２と装飾片１の中央に星形部４を突設するため斜面とを有する窪んだ基礎立体形１０を形成し、この基礎立体形１０の水平な表面１１，１２に微細凹凸形１３，１４を彫り込んで成形凹穴１７を設けると共に、雄成形ゴム型８の成形面１８には、水平な表面１１，１２と斜面とを有する窪んだ基礎立体形１０に合致するように、水平な表面２０，２１と斜面とを有する隆起した基礎立体形１９を凸設し、基材と模様片を重ねたものを雄成形ゴム型８の上に載置してから雌成形金型７を雄成形ゴム型８に向けて矢印Ａ方向に進出して挟圧及び加熱を行うことにより、模様片の所要箇所を基材に対し接着すると共に、基礎成形体１０と基礎成形体１９とが合致することにより装飾片及び基材を上方へ突き出るように変形させ且つその突き出た部位の装飾片の表面における水平な面に微細凹凸形１３，１４によって微細凹凸模様を形成するエンブレム、ワッペン等の装飾片の製造方法が記載されていると認められる。
　刊行物２
　第２頁左上欄第７−１１行に、
「本発明は、金モール製エンブレムや、刺繍製ワッペン，アップリケ等に代わる熱可塑性合成樹脂フィルム製のエンブレム，ワッペン，アップリケ，ステッカー等の装飾片の製造方法と成形型との改良に関するものである。」、
　第４頁左下欄末行−同頁右下欄第７行に、
「第１図に示される受圧型１の場合には、重ねられた各資材は、受圧型１の周縁基部５から突出部９の輪郭部１９に至り、更に他の突出部１０，１１の輪郭部２０，３１に至るように斜行して順次高くなると共に、発砲シート２９の嵩高性により、熱可塑性合成樹脂フィルム３０は成形金型２の各空所２５，２６，２７内へ膨出し、全体として複数段の膨隆形状を呈する。」及び
　第１図に、膨出部６，７よる膨隆形状が記載されている。
　これらの記載事項より、刊行物２には、エンブレム、ワッペン等の装飾片の製造方法において、斜行して順次高くなる部位に膨出部による膨隆形状を形成することが記載されていると認められる。
　また、第４頁左上欄第８−１４行に記載された、
「溶断刃部１４は受圧型１の周縁基部５との協働で後述する基材シート２１より上外方の熱可塑性合成樹脂製のシート，フィルム等を溶断でき、また押圧刃部１７，１８等は受圧型１の突出部９，１０と協働し、前記基材シート２１に前記熱可塑性合成樹脂製のシート，フィルム等を溶着させる」
より、刊行物２には、溶断刃部と押圧刃部とにより熱可塑性合成樹脂製のシート，フィルム等を溶断し且つ熱可塑性合成樹脂製のシート，フィルム等を基材シートに溶着することも記載されていると認められる。
３．対比
　本願発明と刊行物１に記載された発明とを対比すると、刊行物１に記載された発明の「雌成形金型７」、「窪んだ基礎立体形１０」、「微細凹凸形１３，１４」、「雄成形ゴム型８」、「隆起した基礎立体形１９」、「基材」、「模様片」、「装飾片」、「雌成形金型７を雄成形ゴム型８に向けて矢印Ａ方向に進出して」、「挟圧」、「合致」及び「接着」が、本願発明の「上型１」、「窪み部４」、「凹凸状の型押刃部７」、「下型２」、「隆起部６」、「基布８」、「装飾体用素材９」、「装飾体」、「上型１を押下して」、「加圧」、「嵌合」及び「溶着」にそれぞれ相当する。
　したがって、本願発明と刊行物１に記載された発明とは、
「上型に斜面を有する窪み部を設けると共に下型に同じく斜面を有して前記窪み部と嵌合する隆起部を設け、且つ窪み部に適宜な凹凸状の型押刃部を設け、基布と適宜な装飾体用素材を重ねたものを下型の上に載置してから上型を押下して加圧及び加熱を行うことにより、装飾体用素材の所要箇所を基布に対し溶着すると共に、前記の窪み部と隆起部との嵌合により装飾体用素材及び基布を上方へ突き出るように変形させ且つその突き出た部位の装飾体用素材の表面に前記の型押刃部によって適宜な凹凸模様を形成するエンブレム、ワッペン等の装飾体の製造方法。」
である点で一致し、次の点で相違している。
　相違点１
　窪み部に設ける型押刃部の位置及び型押刃部によって凹凸模様を形成する装飾体用素材の表面の部位に関して、本願発明は、型押刃部を窪み部の斜面に設け、凹凸模様を装飾体用素材の表面における傾斜した部位に形成しているのに対し、刊行物１に記載された発明は、型押刃部を窪み部の水平な表面に設け、凹凸模様を装飾体用素材の表面における水平な面に形成している点
　相違点２
　本願発明は、上型に設けた溶断刃部と溶着刃部とにより装飾体用素材を所要形状に溶断し且つ装飾体用素材の所要箇所を基布に対し溶着するものであるのに対し、刊行物１に記載された発明では、この溶断刃部と溶着刃部とに関して不明である。
４．当審の判断
　前記各相違点について検討する。
  相違点１について
　前記２．刊行物のとおり、刊行物２には、エンブレム、ワッペン等の装飾片の製造方法において、斜行して順次高くなる部位に複数段の膨隆形状を形成することが記載されており、そして、刊行物２に記載された発明の「装飾片」、「斜行して順次高くなる部位」及び「膨出部による膨隆形状」が、本願発明の「装飾体」、「傾斜した部位」及び「凹凸模様」にそれぞれ相当している。
　そうすると、刊行物１に記載された発明と刊行物２に記載された発明とは、エンブレム、ワッペン等の装飾体に凹凸模様を形成するという同じ技術分野に属するものであるので、刊行物１に記載された発明に刊行物２に記載された傾斜した部位に凹凸模様を形成することを採用し、刊行物１に記載された発明の窪み部の斜面に凹凸状の型押刃部を設け、この型押刃部で装飾体用素材の表面における傾斜した部位に凹凸模様を形成することに、困難性は要しない。
　相違点２について
　エンブレム、ワッペン等の装飾体の製造方法において、上型に設けた溶断刃部と溶着刃部とにより装飾体用素材を所要形状に溶断し且つ装飾体用素材の所要箇所を基布に対し溶着することは、刊行物２に記載されているように、また、実公昭５０−３５９９３号公報にも記載されているように、本願出願前周知であるので、この周知の技術を採用して、刊行物１に記載された発明の上型に溶断刃部と溶着刃部とを設けて、装飾体用素材を所要形状に溶断し且つ装飾体用素材の所要箇所を基布に対し溶着することに、困難性は要しない。
　また、本願発明の効果は、刊行物１及び刊行物２に記載された発明並びに周知技術から予測しうる程度のものである。
５．むすび
　以上のとおり、本願発明は、本願の出願前に頒布された刊行物１及び刊行物２に記載された発明並びに上記周知の技術に基づいて当業者が容易に発明をすることができたものであるから、特許法第２９条第２項の規定により特許を受けることができない。
　よって、結論のとおり審決する。